(57)【要約】      （修正有）【課題】印刷画像の方向が定められた特殊紙を用いた場合に、特殊紙に対応した方向の印刷画像の印刷出力物を短時間で得ることができ、さらに指定された個所へのステイプル処理をも実行可能にする画像形成装置を提供する。【解決手段】画像形成装置１００のＣＰＵ１１１は、印刷画像の方向が定められている特殊紙に対して印刷を行う場合、印刷ジョブによる印刷設定に基づいて、印刷画像を回転させて印刷を行う第１の印刷方式と、用紙の表裏を反転させて印刷を行う第２の印刷方式との何れの印刷方式を用いて印刷を行うかを判断し、その判断の結果に応じた印刷方式でプリンタ１４０に印刷を行わせる。【選択図】図１
2017074689.tif 000002
【特許請求の範囲】
【請求項１】
印刷画像の方向が定められている特殊紙に対して印刷を行う場合、印刷ジョブによる印刷設定に基づいて、印刷画像を回転させて印刷を行う第１の印刷方式と、用紙の表裏を反転させて印刷を行う第２の印刷方式との何れの印刷方式を用いて印刷を行うかを判断する判断手段と、
前記判断手段による判断の結果に応じた印刷方式でプリンタ部に印刷を行わせる制御手段と
を有する画像形成装置。
【請求項２】
前記判断手段は、前記印刷ジョブの印刷設定に片面印刷と両面印刷との何れかの設定が含まれ、最初の１ジョブ目の印刷がなされた後に２ジョブ目以降の各印刷が行われる複数の印刷ジョブの印刷設定がなされている場合、前記１ジョブ目と２ジョブ目以降の印刷ジョブの印刷設定が前記片面印刷と両面印刷との何れの設定であるかに基づいて、前記１ジョブ目の印刷ジョブにより印刷がなされた前記特殊紙の印刷画像の方向と、前記２ジョブ目以降の各印刷ジョブについて印刷を行った場合の前記特殊紙の印刷画像の方向とが揃うように、前記２ジョブ目以降の各印刷ジョブについて前記第１の印刷方式と第２の印刷方式との何れを用いるかを判断する請求項１に記載の画像形成装置。
【請求項３】
前記判断手段は、前記１ジョブ目の印刷ジョブによる印刷が行われる際に、前記１ジョブ目の印刷ジョブの印刷設定が片面印刷の設定である場合には、前記１ジョブ目について前記第１の印刷方式と第２の印刷方式との何れも用いずに前記特殊紙に対して前記定められた方向の印刷画像による印刷を行う第３の印刷方式を用いると判断し、
前記制御手段は、前記１ジョブ目について前記第３の印刷方式でプリンタ部に印刷を行わせる請求項２に記載の画像形成装置。
【請求項４】
前記判断手段は、前記１ジョブ目の印刷ジョブによる印刷が行われる際に、前記１ジョブ目の印刷ジョブの印刷設定が両面印刷の設定である場合には、前記１ジョブ目について前記第１の印刷方式を用いると判断する請求項３に記載の画像形成装置。
【請求項５】
前記判断手段は、前記２ジョブ目以降の印刷ジョブによる印刷が行われる際に、前記１ジョブ目の印刷ジョブの印刷設定が片面印刷の設定であり、かつ、前記２ジョブ目以降の印刷設定が片面印刷の設定である場合には、前記２ジョブ目以降について前記第３の印刷方式を用いると判断する請求項３又は４に記載の画像形成装置。
【請求項６】
前記判断手段は、前記２ジョブ目以降の印刷ジョブによる印刷が行われる際に、前記１ジョブ目の印刷ジョブの印刷設定が片面印刷であり、かつ、前記２ジョブ目以降の印刷設定が両面印刷の設定である場合には、前記２ジョブ目以降について前記第２の印刷方式を用いると判断する請求項３乃至５のいずれか１項に記載の画像形成装置。
【請求項７】
前記判断手段は、前記２ジョブ目以降の印刷ジョブによる印刷が行われる際に、前記１ジョブ目の印刷ジョブの印刷設定が両面印刷であり、かつ、前記２ジョブ目以降の印刷設定が片面印刷の設定である場合には、前記２ジョブ目以降について前記第１の印刷方式と前記第２の印刷方式の両方を用いると判断する請求項３乃至６のいずれか１項に記載の画像形成装置。
【請求項８】
前記判断手段は、前記２ジョブ目以降の印刷ジョブによる印刷が行われる際に、前記１ジョブ目の印刷ジョブの印刷設定が両面印刷であり、かつ、前記２ジョブ目以降の印刷設定が両面印刷の設定である場合には、前記２ジョブ目以降について前記第１の印刷方式を用いると判断する請求項３乃至７のいずれか１項に記載の画像形成装置。
【請求項９】
前記判断手段は、前記印刷ジョブの印刷設定に片面印刷と両面印刷との何れかの設定と複数の本文ページに対して挿入紙ページを印刷する設定とが含まれている場合、前記本文ページと挿入紙ページの設定が前記片面印刷と両面印刷との何れの設定であるかに基づいて、前記本文ページについて印刷がなされた前記特殊紙の印刷画像の方向と、前記挿入紙ページについて印刷を行った場合の前記特殊紙の印刷画像の方向とが揃うように、前記挿入紙ページについて前記第１の印刷方式と第２の印刷方式との何れを用いるかを判断する請求項１に記載の画像形成装置。
【請求項１０】
前記判断手段は、前記本文ページの印刷が行われる際に、前記本文ページの設定が片面印刷の設定である場合には、前記本文ページについて前記第１の印刷方式と第２の印刷方式との何れも用いずに前記特殊紙に対して前記定められた方向の印刷画像による印刷を行う第３の印刷方式を用いると判断し、
前記制御手段は、前記本文ページについて前記第３の印刷方式でプリンタ部に印刷を行わせる請求項９に記載の画像形成装置。
【請求項１１】
前記判断手段は、前記本文ページの印刷が行われる際に、前記本文ページの設定が両面印刷の設定である場合には、前記本文ページについて前記第１の印刷方式を用いると判断する請求項１０に記載の画像形成装置。
【請求項１２】
前記判断手段は、前記挿入紙ページの印刷が行われる際に、前記本文ページの設定が片面印刷の設定であり、かつ、前記挿入紙ページの設定が片面印刷の設定である場合には、前記挿入紙ページについて前記第３の印刷方式を用いると判断する請求項１０又は１１に記載の画像形成装置。
【請求項１３】
前記判断手段は、前記挿入紙ページの印刷が行われる際に、前記本文ページの設定が片面印刷であり、かつ、前記挿入紙ページの設定が両面印刷の設定である場合には、前記挿入紙ページについて前記第２の印刷方式を用いると判断する請求項１０乃至１２のいずれか１項に記載の画像形成装置。
【請求項１４】
前記判断手段は、前記挿入紙ページの印刷が行われる際に、前記本文ページの設定が両面印刷であり、かつ、前記挿入紙ページの設定が片面印刷の設定である場合には、前記挿入紙ページについて前記第１の印刷方式と前記第２の印刷方式の両方を用いると判断する請求項１０乃至１３のいずれか１項に記載の画像形成装置。
【請求項１５】
前記判断手段は、前記挿入紙ページの印刷が行われる際に、前記本文ページの設定が両面印刷であり、かつ、前記挿入紙ページの印刷設定が両面印刷の設定である場合には、前記挿入紙ページについて前記第１の印刷方式を用いると判断する請求項１０乃至１４のいずれか１項に記載の画像形成装置。
【請求項１６】
前記判断手段は、前記印刷ジョブの印刷設定に片面印刷と両面印刷との何れかの設定とステイプル処理の設定とが含まれている場合、印刷がなされる特殊紙に対する印刷ジョブの印刷設定が前記片面印刷と両面印刷との何れの設定であるかと、前記ステイプル処理を行う位置の設定とに基づいて、前記第１の印刷方式と第２の印刷方式との何れを用いるかを判断する請求項１に記載の画像形成装置。
【請求項１７】
前記判断手段は、前記特殊紙の印刷が行われる際に、前記特殊紙に対する設定が片面印刷の設定であり、かつ、前記ステイプル処理を行う位置の設定がなされていない場合には、前記第１の印刷方式と第２の印刷方式との何れも用いずに前記特殊紙に対して前記定められた方向の印刷画像による印刷を行う第３の印刷方式を用いると判断し、
前記制御手段は、前記第３の印刷方式でプリンタ部に印刷を行わせる請求項１６に記載の画像形成装置。
【請求項１８】
前記判断手段は、前記特殊紙の印刷が行われる際に、前記特殊紙に対する設定が両面印刷の設定であり、かつ、前記ステイプル処理を行う位置の設定がなされていない場合には、前記第１の印刷方式を用いると判断する請求項１７に記載の画像形成装置。
【請求項１９】
前記判断手段は、前記特殊紙の印刷が行われる際に、前記特殊紙に対する設定が片面印刷の設定であり、かつ、前記ステイプル処理を行う位置が用紙の左上又は左下に設定されている場合には、前記第３の印刷方式を用いると判断する請求項１７又は１８に記載の画像形成装置。
【請求項２０】
前記判断手段は、前記特殊紙の印刷が行われる際に、前記特殊紙に対する設定が片面印刷の設定であり、かつ、前記ステイプル処理を行う位置が用紙の右上又は右下に設定されている場合には、前記第１の印刷方式と前記第２の印刷方式の両方を用いると判断する請求項１７乃至１９のいずれか１項に記載の画像形成装置。
【請求項２１】
前記判断手段は、前記特殊紙の印刷が行われる際に、前記特殊紙に対する設定が両面印刷の設定であり、かつ、前記ステイプル処理を行う位置が用紙の左上又は左下に設定されている場合には、前記第２の印刷方式を用いると判断する請求項１７乃至２０のいずれか１項に記載の画像形成装置。
【請求項２２】
前記判断手段は、前記特殊紙の印刷が行われる際に、前記特殊紙に対する設定が両面印刷の設定であり、かつ、前記ステイプル処理を行う位置が用紙の右上又は右下に設定されている場合には、前記第１の印刷方式を用いると判断する請求項１７乃至２１のいずれか１項に記載の画像形成装置。
【請求項２３】
印刷画像の方向が定められた特殊紙は、プレパンチ用紙又は左右非対称なプレプリント用紙である請求項１乃至２２のいずれか１項に記載の画像形成装置。
【請求項２４】
画像形成装置が実行する情報処理方法であって、
印刷画像の方向が定められている特殊紙に対して印刷を行う場合、印刷ジョブによる印刷設定に基づいて、印刷画像を回転させて印刷を行う第１の印刷方式と、用紙の表裏を反転させて印刷を行う第２の印刷方式との何れの印刷方式を用いて印刷を行うかを判断する判断ステップと、
前記判断ステップによる判断の結果に応じた印刷方式でプリンタ部に印刷を行わせる制御ステップと
を含む情報処理方法。
【請求項２５】
コンピュータを、請求項１乃至２３のいずれか１項に記載の画像形成装置の各手段として機能させるためのプログラム。
【発明の詳細な説明】
【技術分野】
【０００１】
本発明は、画像形成装置、情報処理方法及びプログラムに関する。
【背景技術】
【０００２】
例えばＭＦＰ（プリンタ複合機）のような画像形成装置では、予めパンチ穴加工が施されたプレパンチ用紙を使用する場合がある。プレパンチ用紙は、用紙の長辺片側のみにパンチ穴加工されたものが一般的である。プレパンチ用紙は、用紙の左右に区別があり、印刷画像の方向が定められている。また、印刷がなされた後の用紙（以下、印刷出力物とする。）はファイリングされることが多く、プレパンチ用紙の場合には、一般に、パンチ穴が１ページ目の左側になるようにファイリングされる。一方、ユーザは、プレパンチ用紙をＭＦＰにセットする際には、プレパンチ用紙の面をどちらの向きで給紙部にセットすればよいか判断がつきにくいため、ファイリングの場合と同様に左側にパンチ穴がくるようにセットすることが多い。
また、例えば用紙を上方向に搬送しながら印刷を行う構成のＭＦＰは、片面印刷では用紙の表面に印刷を行うが、両面印刷では裏面排紙で出力されるために用紙の表面に偶数ページ、裏面に奇数ページを印刷する。そのため、片面印刷と両面印刷の場合で、印刷出力物の１ページ目に対するパンチ穴の位置が変わってしまうという問題がある。このような問題を解決する方法として、従来、以下の二つの印刷方式が知られている。
【０００３】
１つ目は回転方式であり、特許文献１に開示されているように、印刷する画像を１８０度回転する画像処理を行う手法である。上記の制約を実現するためには、両面印刷時に回転処理を行えばよい。これにより、両面印刷時の印刷出力物も片面印刷と同様にパンチ穴を１ページ目の左側にすることができる。
２つ目は両面パス方式であり、特許文献２に開示されているように、印刷用紙の表裏を反転させる搬送路を経由した後に印刷処理を行う手法である。上記の制約を実現するためには、両面印刷時に印刷用紙の表裏を反転させる搬送路を通常より１回多く経由すればよい。これにより、両面印刷時の印刷出力物も片面印刷と同様にパンチ穴を１ページ目の左側にすることができる。
【先行技術文献】
【特許文献】
【０００４】
【特許文献１】特開２００７−７６１２５号公報
【特許文献２】特開２０１４−８４１９８号公報
【発明の概要】
【発明が解決しようとする課題】
【０００５】
ところで、前述した回転方式の場合、例えば片面印刷と両面印刷が１ジョブの中で、或いはジョブを跨いで混在する場合、天地が揃っていない印刷出力物が得られてしまう。この場合、ユーザは印刷出力物をそのままファイリングすることができず、向きを揃えるための煩わしい作業が必要になる。一方、両面パス方式では、片面印刷と両面印刷が混在する場合でも印刷出力物の天地が揃えられて出力されるが、用紙を反転する搬送路に通さなければならないため、回転方式に比べて印刷処理に時間がかかるという問題がある。
【０００６】
さらに、これら回転方式と両面パス方式に共通する問題点として、ステイプル機能との組み合わせが挙げられる。ステイプル機能はステイプルする位置を用紙の４つの角から選択することができる。ステイプル機能を備えたＭＦＰは、ユーザにより指定されたステイプル位置へのステイプルを実現するために、例えば、出力画像を１８０度回転させることで指定された位置へのステイプルを実現する場合がある。
しかしながら、このようなステイプル処理の際の動作は回転方式及び両面パス方式と相反する処理になる場合があり、例えば、回転方式における画像の回転とステイプル処理による画像の回転とが相反する処理になることがある。この場合、回転方式とステイプル処理の何れか一方の回転を行えなくなることがあり、例えば、ステイプル処理の回転を行えない場合には、ユーザにより指定されたステイプル位置へのステイプルを実現できなくなる。また、両面パス方式の場合、ステイプル処理のための画像の回転により印刷画像がパンチ穴の右側になることがあり、それを防ぐためにステイプル処理の画像回転を行わないと、ユーザにより指定されたステイプル位置へのステイプルを実現できなくなる。
【０００７】
そこで、本発明は、印刷画像の方向が定められた特殊紙を用いた場合に、特殊紙に対応した方向した印刷画像の印刷出力物を短時間に得ることができ、さらに指定された個所へのステイプル処理をも実行可能にすることを目的とする。
【課題を解決するための手段】
【０００８】
本発明は、印刷画像の方向が定められている特殊紙に対して印刷を行う場合、印刷ジョブによる印刷設定に基づいて、印刷画像を回転させて印刷を行う第１の印刷方式と、用紙の表裏を反転させて印刷を行う第２の印刷方式との何れの印刷方式を用いて印刷を行うかを判断する判断手段と、前記判断手段による判断の結果に応じた印刷方式でプリンタ部に印刷を行わせる制御手段とを有する。
【発明の効果】
【０００９】
本発明によれば、印刷画像の方向が定められた特殊紙を用いた場合に、特殊紙に対応した方向の印刷画像の印刷出力物を短時間で得ることができ、さらに指定された個所へのステイプル処理をも実行可能にとなる。
【図面の簡単な説明】
【００１０】
【図１】画像形成装置の概略的なハードウェア構成を示すブロック図である。
【図２】画像形成装置の用紙搬送経路の説明に用いる概略断面図である。
【図３】プレパンチ用紙を両面印刷する場合の印刷動作の説明図である。
【図４】回転方式で両面印刷する場合の印刷動作の説明図である。
【図５】両面パス方式で両面印刷する場合の印刷動作の説明図である。
【図６】回転方式で片面、両面印刷する場合の印刷出力物の説明図である。
【図７】両面パス方式で片面、両面印刷する場合の印刷出力物の説明図である。
【図８】回転方式又は両面パス方式とステイプル機能の説明図である。
【図９】両面パス方式の場合の用紙搬送経路の説明に用いる概略断面図である。
【図１０】第１の実施形態における印刷動作のフローチャートである。
【図１１】第１の実施形態による印刷出力物の説明図である。
【図１２】第２の実施形態における印刷動作のフローチャートである。
【図１３】第２の実施形態による印刷出力物の説明図である。
【図１４】第３の実施形態における印刷動作のフローチャートである。
【図１５】第３の実施形態による印刷出力物の説明図である。
【発明を実施するための形態】
【００１１】
以下、本発明を実施するための形態について図面を用いて説明する。
＜第１の実施形態＞
図１は、本実施形態の画像形成装置の一例であるＭＦＰ１００のシステムブロック図である。
制御部１１０は、画像入力デバイスであるスキャナ１３０や、画像出力デバイスであるプリンタ部（以下、プリンタ１４０とする。）と接続されており、画像情報の入出力を制御する。また、制御部１１０はＬＡＮに接続され、これを経由して印刷ジョブの受信などを行う。ＣＰＵ１１１は、ＭＦＰ１００の動作を制御するものであり、ＲＡＭ１１２に格納されたプログラムに基づいて動作する。ＲＯＭ１１３はブートＲＯＭであり、システムのブートプログラムが格納されている。ＨＤＤ１１４は、システムソフトウェア、画像データ、ＭＦＰ１００の動作を制御するためのプログラム等が格納されている。ＨＤＤ１１４に格納されたプログラムがＲＡＭ１１２にロードされ、ＣＰＵ１１１はこれに基づいてＭＦＰ１００の動作を制御する。ネットワークＩ／Ｆ１１５はＬＡＮに接続されて、ネットワーク経由で各種情報の入出力を司る。デバイスＩ／Ｆ１１６は画像入出力デバイスであるスキャナ１３０やプリンタ１４０と制御部１１０とを接続し、画像データの同期系／非同期系の変換を行う。操作部Ｉ／Ｆ１１７は操作部１５０と制御部１１０を接続するインタフェースであり、操作部１５０に表示するための画像データを操作部１５０に出力する。また、操作部Ｉ／Ｆ１１７は、操作部１５０からユーザが入力した情報をＣＰＵ１１１に伝達する。画像処理部１１８はＬＡＮ経由で受信した印刷データに対して画像処理を行い、また、デバイスＩ／Ｆ１１６から入出力される画像データに対して画像処理を行う。画像メモリ１１９は画像処理部１１８によって処理される画像データを一時的に展開するためのメモリである。
【００１２】
図２（ａ）と図２（ｂ）は、本実施形態のＭＦＰ１００の概略的な断面図である。ＭＦＰ１００は、スキャナ１３０及びプリンタ１４０によって構成されている。図２（ａ）は片面印刷がなされる場合、図２（ｂ）は両面印刷がなされる場合の例である。以下、特にプリンタ１４０における用紙の搬送に着目して説明する。
給紙部２０１は用紙を格納する。図２（ａ）、図２（ｂ）において、ＭＦＰ１００は３つの給紙部を有しているが、給紙部の数は３つに限らない。給送ローラ２０２は給紙部２０１に格納されている用紙を印刷部２０３に給送する。また、給送ローラ２０２は給紙部２０１に格納されている用紙を印刷部２０３に給送する。印刷部２０３は、給送されてきた用紙の第１面に画像を印刷する。図２（ａ）、図２（ｂ）においては、印刷部２０３を通過する用紙の左側に向いた面に印刷がなされる。印刷部２０３は、インクを用紙に吹き付けて画像を印刷するインクジェット方式が採用されてもよいし、トナーを用紙に定着させて画像を印刷する電子写真方式が採用されてもよい。
【００１３】
本実施形態において、印刷された用紙の排紙は印刷面を下に向けた裏面排紙となされている。図２（ａ）に示す片面印刷の場合は、印刷された用紙は搬送ローラ２０４に導かれ、排紙トレイ２０５に排紙される。印刷部２０３で左側から印刷された用紙がそのまま排紙トレイ２０５に排紙されることで、片面印刷の場合は裏面排紙となされている。ここで、両面印刷の場合、印刷部２０３で第１面が印刷された用紙は搬送ローラ２０６に導かれ、搬送ローラ２０７に搬送される。搬送ローラ２０７は用紙を反転用トレイ２０８に搬送する。用紙の後端が搬送ローラ２０７に到達すると、搬送ローラ２０７は逆回転し始め、用紙を搬送ローラ２０９に搬送する。搬送ローラ２０９は両面印刷用の搬送パス２１０を介して用紙を搬送ローラ２１１に搬送する。搬送ローラ２１１は用紙を印刷部２０３に搬送する。印刷部２０３は用紙の第２面に画像を印刷する。両面印刷された用紙は搬送ローラ２０４に導かれ、排紙トレイ２０５に排紙される。両面印刷の場合、後に印刷した第２面が排紙トレイ２０５に排紙されたときに下を向いている。したがって、ページ１、ページ２の順に印刷すると、排紙トレイ２０５でページ１が上を向くことになってしまい、表面排紙となってしまう。このため、図２（ｂ）に示すように、両面印刷の場合には、ＣＰＵ１１１は第１面に先に裏の画像であるページ２を印刷し、第２面に表の画像であるページ１を印刷することにで、裏面排紙を実現する。
【００１４】
また、図２（ａ）、図２（ｂ）に示したＭＦＰ１００は、用紙を排紙トレイ２０５に排紙する前に、ステイプル装置２１２によって排紙用紙の後端側にステイプル処理を実行することも可能である。ステイプル装置２１２がＭＦＰ１００の図の手前から奥方向に移動できる構成となされていればステイプル装置は１つ搭載される。ステイプル装置２１２の位置が固定される構成の場合は、ステイプル装置２１２はＭＦＰ１００の図の手前と奥に１つずつ搭載する構成が望ましい。また、図示しないフィニッシャー装置がＭＦＰ１００に装着されている場合は排紙トレイ２０５及びステイプル装置２１２はフィニッシャー装置のものを使用する構成でもよい。
【００１５】
＜印刷画像の方向が定められた特殊紙に対する印刷処理とステイプル処理の説明＞
ここで、本実施形態のＭＦＰ１００の詳細な動作説明を行う前に、プレパンチ用紙のように印刷画像の方向が定められた特殊紙に対し、一般的な印刷出力動作により片面印刷や両面印刷を行い、さらにステイプル処理を行う場合の問題点等を以下に説明する。
図２（ａ）、図２（ｂ）のように用紙を上方向に搬送しながら印刷する構成のＭＦＰ１００は、片面印刷では用紙の表面に印刷が行われるが、両面印刷では裏面排紙となされる。例えば図３に示すように、両面印刷が行われる場合、ＭＦＰ１００は、給紙部２０１から給送されたプレパンチ用紙に対し、印刷すべき出力画像１００１を、用紙の表面が偶数ページ、裏面が奇数ページとなるように印刷した印刷出力物を出力する。具体的には、出力画像１００１が画像１、画像２、画像３からなる場合、１枚目のプレパンチ用紙では表面に画像２、裏面に画像１、２枚目のプレパンチ用紙では表面が白紙で、裏面に画像３が印刷された両面出力１００３が印刷出力物として出力される。この図３に示すような印刷出力がなされる場合、片面印刷と両面印刷の場合で、印刷後の用紙（印刷出力物）の１ページ目に対するパンチ穴の位置が変わってしまう。例えば、片面印刷の場合はパンチ穴が１ページ目の左側となされた印刷出力が得られるのに対し、両面印刷の場合は図３のようなパンチ穴が右側となった両面出力１００３になる。
【００１６】
この問題点に対処する方法として、例えば、画像を１８０度回転する画像処理を行う第１の印刷方式（前述の回転方式）や、用紙の表裏を反転させる搬送路を経由した後に印刷処理を行う第２の印刷方式（前述の両面パス方式）を用いることが考えられる。
例えば回転方式の場合、図４に示すように、ＭＦＰ１００は、給紙部２０１から給送されたプレパンチ用紙に対し、印刷する出力画像１１０１を回転させることで、両面印刷と片面印刷の何れの場合もパンチ穴を１ページ目の左側にすることができる。例えば両面印刷の場合、出力画像１１０１が画像１〜画像３からなる場合、ＭＦＰ１００は、１枚目のプレパンチ用紙では画像１を１８０度回転させて裏面に印刷し、同じく画像２を１８０度回転させて表面に印刷する。一方、ＭＦＰ１００は、２枚目のプレパンチ用紙については、表面を白紙とし、画像３を１８０度回転させて裏面に印刷する。これにより、回転方式で両面印刷を行った場合、パンチ穴が１ページ目の左側となされた両面出力１１０３が得られる。なお、片面印刷の際には画像の回転は行われないため、パンチ穴が左側となされた片面出力（図示は省略する。）の印刷出力物が得られる。
【００１７】
両面パス方式の場合、図５に示すように、ＭＦＰ１００は、給紙部２０１から給送されたプレパンチ用紙を、用紙の表裏を反転させる搬送路を経由させて印刷処理を行うことで、両面印刷と片面印刷の何れの場合もパンチ穴を１ページ目の左側にする。例えば両面印刷の場合、出力画像１２０１が画像１〜画像３からなる場合、ＭＦＰ１００は、１枚目のプレパンチ用紙の表裏を反転させて画像２を裏面に、画像１を表面に印刷する。また、ＭＦＰ１００は、２枚目のプレパンチ用紙の表裏を反転させて、裏面を白紙とし、画像３を表面にする。これにより、両面印刷の場合、パンチ穴が１ページ目の左側となされた両面出力１１０３が得られる。なお、片面印刷の際には画像の回転は行われないため、パンチ穴が左側となされた片面出力（図示は省略する。）が得られる。
【００１８】
また、前述の回転方式ではソフトウェア処理による画像の回転が行われるため、両面パス方式と比較して処理時間を短くすることができる。しかしながら、回転方式の場合、図６に示すように、片面出力１３０１では、ＭＦＰ１００の排紙トレイ２０５に用紙が排紙された際に印刷画像の天が奥側になるのに対し、両面出力１３０２では、印刷画像の天が排紙トレイ２０５の手前側になる。このため、例えば、片面出力１３０１と両面出力１３０２が１ジョブの中で、或いはジョブを跨いで混在するような場合、排紙トレイ２０５には天地が異なる印刷出力物が混在してしまうことになる。
一方、両面パス方式では、回転方式のように画像を回転させないため、図７に示すように、片面出力１４０１と両面出力１４０２が混在する場合でも、印刷出力物の天地が揃えられて排紙トレイ２０５に排紙されることになる。しかしながら、用紙の表面と裏面を反転させるために搬送路を余計に経由させる必要があるため、パフォーマンスは回転方式に比べて劣る（印刷出力が得られるまでの時間が回転方式に比べて長くなる）。
【００１９】
さらに、ＭＦＰ１００がステイプル装置２１２を有し、ステイプル処理が可能である場合、これら回転方式や両面パス方式とステイプル機能を組み合わせた場合には新たな問題が生ずることになる。前述したように、ステイプル機能は、ステイプルする位置を用紙の４つの角から選択可能となされている。ここで、例えば図８（ａ）に示すように、ステイプル処理が印刷出力物に対して排紙の後端側でしか実行できず、ステイプル装置２１２が機器の手前側と奥側に１つずつ設置されている構成のＭＦＰ１００を想定してみる。この場合のＭＦＰ１００は、用紙をそのまま搬送しただけではステイプル処理できない位置がステイプル位置として指定されている場合、一般的には、出力画像を１８０度回転させることにより、指定された位置へのステイプル処理を行うと考えられる。
【００２０】
しかしながら、このようなステイプル処理の動作は、前述した回転方式及び両面パス方式と相反する処理になってしまうことがある。例えば、回転方式で印刷処理を行うために画像を回転させる必要がある場合であっても、ステイプル位置へのステイプル処理のために回転を行えないときには、回転方式の印刷処理とステイプル処理の何れか一方の処理を実現できないことになる。また、両面パス方式で印刷処理を行うために両面パスを経由させる必要がある場合であっても、ステイプル位置へのステイプル処理のために回転を行えないときには、パンチ穴が印刷出力物の右側になり、パンチ穴を印刷出力物の左側にできないことになる。
【００２１】
図８（ｂ）は、ステイプル処理、回転方式、両面パス方式の印刷を実行可能な構成のＭＦＰ１００でプレパンチ用紙の左側にパンチ穴がくるように出力する場合において、ステイプル可能な個所を示す図である。図８（ｂ）は、印刷出力物が排紙トレイ２０５に裏面排紙された状態を示している。この図８（ｂ）に示すように、回転方式と両面パス方式、及び、片面出力、両面出力の何れの場合でも、ステイプル処理は、用紙の４つの角のうち２か所にしか実行できない。このように、ステイプル処理と、回転方式及び両面パス方式とが相反する処理になることで、ユーザが指定した個所にステイプルを行えないという問題がある。
【００２２】
以下、前述したような問題を解決可能とするための本実施形態のＭＦＰ１００の動作についてさらに詳細に説明する。
図９（ａ）、図９（ｂ）は、両面パス方式の動作について説明するための図である。図９（ａ）は片面印刷がなされる場合、図９（ｂ）は両面印刷がなされる場合の例である。両面パス方式は、前述したように、印刷用紙の表裏を反転させる搬送路を経由した後に印刷処理を行う手法である。図９（ａ）、図９（ｂ）に示したＭＦＰ１００の場合、両面パスは両面印刷用の搬送パス２１０を指す。片面出力或いは両面出力において両面パス方式を実行する場合は、先ず、給送ローラ２０２により印刷部２０３に用紙を搬送した際に、印刷部２０３では印刷処理を行わず、そのまま用紙は搬送ローラ２０６に導かれて、搬送ローラ２０７に搬送される。搬送ローラ２０７は用紙を反転用トレイ２０８に搬送する。用紙の後端が搬送ローラ２０７に到達すると、搬送ローラ２０７は逆回転し始め、用紙を搬送ローラ２０９に搬送する。搬送ローラ２０９は両面印刷用の搬送パス２１０を介して用紙を搬送ローラ２１１に搬送する。搬送ローラ２１１は用紙を印刷部２０３に搬送する。この後の動作は前述したように給紙部２０１から用紙を印刷部２０３に搬送した後の動作と同じである。つまり、両面パス方式を実行する場合、印刷前に、用紙は両面印刷用の搬送パス２１０により搬送される。前述したような出力方法では、片面出力の場合は用紙の表面に印刷がなされ、両面出力の場合は用紙の表面に偶数ページが印刷され、裏面に奇数ページが印刷される。両面パス方式を実行した場合は、逆に、片面出力の場合は用紙の裏面に印刷がなされ、両面出力の場合は用紙の表面に奇数ページが印刷され、裏面に偶数ページが印刷される。
【００２３】
ここで、図６で説明したように片面出力１３０１と両面出力１３０２が印刷ジョブを跨いで混在する場合、回転方式では、それぞれの印刷後の用紙の印刷画像の天地の向きが異なってしまい、両面パス方式では印刷時間がかかるという問題がある。なお、以下の説明では、印刷出力物の印刷画像の天地を「印刷出力物の天地」と表記する。第１の実施形態では、片面出力１３０１と両面出力１３０２が印刷ジョブを跨いで混在する場合、それぞれの印刷出力物の天地の向きが異ならないようにしつつ、両面パス方式のみを用いる場合と比較して印刷時間が短くなるようにする。
【００２４】
例えば、一般的なＭＦＰの使い方として、ＭＦＰの印刷指示画面やホストコンピュータ上のデバイスドライバの画面では、片面印刷又は両面印刷が初期値として設定されている。このため、一つの印刷ジョブだけプリントを実行する場合や片面と両面の設定が同じである複数の印刷ジョブのプリントを行う場合の方が、片面と両面の設定が異なる複数の印刷ジョブのプリントを行う場合よりも頻度は高いと考えられる。以下、例えば複数の印刷ジョブによるプリントが続けて行われる場合において、最初の印刷ジョブを「１ジョブ（又は１ジョブ目）」と表記し、後続する印刷ジョブを「２ジョブ（又は２ジョブ目）」と表記する。このため、複数の印刷ジョブのプリントを行う場合に、例えば１ジョブ目の処理の後、２ジョブ目以降で１ジョブ目と同じ片面又は両面印刷の印刷設定の印刷ジョブを実行するときには通常方式、又は回転方式を用いて最速でプリント処理を行う。なお、通常方式とは、第３の印刷方式であり、回転方式や両面パス方式による印刷を行わない印刷方式である。これにより、印刷処理の出力時間をある程度短縮することができ、システム全体としての処理時間の短縮が可能になると考えられる。
【００２５】
１ジョブのみで印刷出力する場合は、印刷出力物の天地を気にする必要は無く、２ジョブ目以降も１ジョブ目と同じ片面又は両面印刷の印刷設定ならば、１ジョブ目と同じ天地で印刷出力物が排紙されるため問題ない。一方、両面パス方式のみ用いる場合、片面印刷と両面印刷の何れかに対して両面パスを経由するため、何れかの処理は常に遅くなるという問題がある。一方、第１の実施形態のＭＦＰ１００は、片面と両面の印刷設定が異なる複数の印刷ジョブのプリントを行う場合、必要に応じて、両面パス方式と回転方式とを切り替えて用いる。これにより、処理時間は多少かかるが、２ジョブ目以降の印刷出力物の天地が、１ジョブ目の印刷出力物の天地と揃うようにする。また、第１の実施形態では、片面又は両面どちらかのジョブのみで印刷出力を行う限り、最速の印刷出力が可能となる。
【００２６】
図１０は、第１の実施形態のＭＦＰ１００でプリント処理が実行される際の、ＣＰＵ１１１の情報処理による印刷制御の流れを示すフローチャートである。なお、図１０中のステップＳ４０１〜Ｓ４１６は、それぞれＳ４０１〜Ｓ４１６と略記する。図１０のフローチャートの処理は、ＲＯＭ１１３又はＨＤＤ１１４等に格納されている本実施形態に係るプログラムがＲＡＭ１１２にロードされて、ＣＰＵ１１１により実行される処理である。
【００２７】
ＣＰＵ１１１は、ユーザによる操作部１５０を介したプリント指示の信号、或いは、ネットワークＩ／Ｆ１１５を介して接続されたホストコンピュータからプリント指示の信号を受け取ると、Ｓ４０１として、プリント処理の実行命令を行う。プリント処理の実行命令は、デバイスＩ／Ｆ１１６を介してプリンタ１４０に送られる。Ｓ４０１の後、ＣＰＵ１１１は、Ｓ４０２へ処理を進める。
【００２８】
Ｓ４０２では、ＣＰＵ１１１は、プリントに使用する用紙がプレパンチ用紙であるかどうかを判断する。ここで、給紙部２０１の給紙段にセットされている用紙の種別は予め操作部１５０を介してユーザにより設定されている。ＣＰＵ１１１は、その設定されている用紙の種別により、プリントに使用する用紙がプレパンチ用紙であるかどうか判断する。ＣＰＵ１１１は、Ｓ４０２においてプレパンチ用紙であると判断した場合にはＳ４０３に処理を進め、プレパンチ用紙以外であると判断した場合にはＳ４１５へ処理を進める。
【００２９】
Ｓ４０３に進んだ場合、ＣＰＵ１１１は、これから実行するプリント処理が２ジョブ目以降かどうかを判断する。ここで、ＣＰＵ１１１は、一例として、これから実行するプリント処理が１ジョブ目であるかどうかを判断し、１ジョブ目でないと判断したときに２ジョブ目以降であると判断する。具体的には、ＣＰＵ１１１は、例えば、排紙トレイ２０５に取り付けられた図示しないセンサの出力信号により、排紙トレイ２０５に用紙が無いと判断した場合に、１ジョブ目であると判断する。一方、ＣＰＵ１１１は、排紙トレイ２０５に用紙が有ると判断した場合には２ジョブ目以降であると判断する。または、ＣＰＵ１１１は、ＭＦＰ１００が備えるユーザ認証機能により、ユーザがログインしてからログアウトするまでの印刷ジョブの処理数をカウントし、そのカウント値が０である場合には１ジョブ目であると判断する。一方、ＣＰＵ１１１は、カウント値が０でない（１以上である）場合には２ジョブ目以降であると判断する。または、ＣＰＵ１１１は、プレパンチ用紙を使用するようにセットしてから未だ印刷ジョブが実行されていない場合には、１ジョブ目であると判断する。一方、ＣＰＵ１１１は、プレパンチ用紙がセットされてから既に印刷ジョブが実行されていれば、２ジョブ目以降であると判断する。そして、ＣＰＵ１１１は、Ｓ４０３において２ジョブ目以降であると判断した場合にはＳ４０４に処理を進め、１ジョブ目であると判断した場合にはＳ４０５に処理を進める。
【００３０】
Ｓ４０５に進んだ場合、ＣＰＵ１１１は、１ジョブ目の印刷出力を行う際の印刷ジョブの印刷設定情報（片面印刷、両面印刷等の情報）をＲＡＭ１１２又はＨＤＤ１１４に保存させた後、Ｓ４０８に処理を進める。
Ｓ４０８では、ＣＰＵ１１１は、これから実行する１ジョブ目の印刷ジョブの印刷設定が片面印刷ジョブであるか、両面印刷ジョブであるかを判断する。以下、片面印刷ジョブを「片面ジョブ」、両面印刷ジョブを「両面ジョブ」と表記する。ＣＰＵ１１１は、Ｓ４０８において、片面ジョブであると判断した場合にはＳ４１３に処理を進め、両面ジョブであると判断した場合にはＳ４１４に処理を進める。
Ｓ４１３に進むと、ＣＰＵ１１１は、回転方式と両面パス方式の両方を実行しない通常方式により印刷出力するための印刷設定を行った後、Ｓ４１６に処理を進める。
Ｓ４１４に進むと、ＣＰＵ１１１は、回転方式を実行し、両面パス方式を実行しないで印刷出力するための印刷設定を行った後、Ｓ４１６に処理を進める。
【００３１】
Ｓ４０４に進んだ場合、ＣＰＵ１１１は、１ジョブ目における印刷出力が片面ジョブであったか、両面ジョブであったかどうかを判断する。Ｓ４０４では、ＣＰＵ１１１は、１ジョブ目の印刷出力の際にＳ４０５で保存した情報をＲＡＭ１１２又はＨＤＤ１１４から読み出し、その情報により、１ジョブ目の印刷出力が片面印刷と両面印刷の何れの印刷ジョブであったかどうかを判断する。そして、ＣＰＵ１１１は、Ｓ４０４において片面ジョブであると判断した場合にはＳ４０６に処理を進め、両面ジョブであると判断した場合にはＳ４０７に処理を進める。
【００３２】
Ｓ４０６に進んだ場合、ＣＰＵ１１１は、これから実行する２ジョブ目以降の印刷ジョブの印刷設定が片面ジョブであるか、両面ジョブであるかを判断する。ＣＰＵ１１１は、Ｓ４０６において、片面ジョブであると判断した場合にはＳ４０９に処理を進め、両面ジョブであると判断した場合にはＳ４１０に処理を進める。
Ｓ４０９では、ＣＰＵ１１１は、前述した回転方式及び両面パス方式の両方を実行しない通常方式により印刷出力するための印刷設定を行った後、Ｓ４１６に処理を進める。
Ｓ４１０では、ＣＰＵ１１１は、回転方式は実行せず、両面パスを一回多く経由するようにして両面パス方式を実行して印刷出力するための印刷設定を行った後、Ｓ４１６へ処理を進める。
【００３３】
Ｓ４０７に進んだ場合、ＣＰＵ１１１は、これから実行する２ジョブ目以降の印刷ジョブの印刷設定が片面ジョブであるか、両面ジョブであるかを判断する。ＣＰＵ１１１は、Ｓ４０７において、片面ジョブであると判断した場合にはＳ４１１に処理を進め、両面ジョブであると判断した場合にはＳ４１２に処理を進める。
Ｓ４１１では、ＣＰＵ１１１は、回転方式により画像を１８０度回転させ、両面パス方式による用紙反転の経路を経由して印刷を実行して印刷出力するための印刷設定を行った後、Ｓ４１６に処理を進める。
Ｓ４１２では、ＣＰＵ１１１は、回転方式により画像を１８０度回転させる一方で、両面パス方式については実行しないで印刷出力するための印刷設定を行った後、Ｓ４１６に処理を進める。
【００３４】
Ｓ４１５に進んだ場合、ＣＰＵ１１１は、回転方式及び両面パス方式の両方を実行しない通常方式により印刷出力するように印刷設定を行った後、Ｓ４１６に処理を進める。
Ｓ４１６では、ＣＰＵ１１１は、Ｓ４０９からＳ４１５の何れかで設定された印刷設定に基づいて、プレパンチ用紙の搬送及び印刷画像の作成を実行し、プリンタ１４０にプレパンチ用紙への印刷を実行させる。
【００３５】
図１１は、図１０のフローチャートにより印刷方式の判断がなされ、その判の結果に基づいて印刷制御がなされて第１の実施形態のＭＦＰ１００により印刷が行われたことにより得られる印刷出力物をまとめた表である。
１ジョブ目が片面印刷の場合、ＭＦＰ１００は、図１０のＳ４１３のように、回転方式と両面パス方式の何れも実行せず、通常方式による印刷を実行する。このため、排紙トレイ２０５には、図１１において「１ジョブ目」、「片面：通常出力」で示される印刷出力物５０１が排紙される。
１ジョブ目が片面印刷で２ジョブ目も片面印刷の場合、ＭＦＰ１００は、図１０のＳ４０９のように、回転方式と両面パス方式の何れも実行せず、通常方式による印刷を実行する。このため、排紙トレイ２０５には、図１１において「２ジョブ目以降」、「片面：通常出力」で示される印刷出力物５０３が排紙されることになる。
１ジョブ目が片面印刷で２ジョブ目が両面印刷の場合、ＭＦＰ１００は、図１０のＳ４１０のように、回転方式を実行せず、両面パス方式による印刷を実行する。このため、排紙トレイ２０５には、図１１において「２ジョブ目以降」、「両面：両面パス」で示される印刷出力物５０４が排紙されることになる。
このように、１ジョブ目が片面印刷の場合、ＭＦＰ１００は、２ジョブ目以降では片面印刷、両面印刷の何れの場合も回転方式を実行しないため、全ての印刷出力物は印刷画像の天がＭＦＰ１００の奥側を向いた状態で排紙トレイ２０５に排紙される。
【００３６】
一方、１ジョブ目が両面印刷の場合、ＭＦＰ１００は、図１０のＳ４１４のように、回転方式を実行して、両面パス方式は実行しない。このため、排紙トレイ２０５には、図１１において「１ジョブ目」、「両面：１８０度回転」で示される印刷出力物５０２が排紙される。
１ジョブ目が両面印刷で２ジョブ目が片面印刷の場合、ＭＦＰ１００は、図１０のＳ４１１のように、回転方式と両面パス方式の両方を実行する。このため、排紙トレイ２０５には、図１１において「２ジョブ目」、「片面：１８０度回転＋両面パス」で示される印刷出力物５０５が排紙される。
１ジョブ目が両面印刷で２ジョブ目も両面印刷の場合、ＭＦＰ１００は、図１０のＳ４１２のように、回転方式を実行し、両面パス方式は実行しない。このため、排紙トレイ２０５には、図１１において「２ジョブ目」、「両面：１８０度回転」で示される印刷出力物５０６が排紙される。
このように、１ジョブ目が両面印刷の場合、ＭＦＰ１００は、２ジョブ目以降では全ての印刷ジョブで回転方式を実行することにより、全ての印刷出力物は印刷画像の天がＭＦＰ１００の手前側を向いた状態で排紙トレイ２０５に排紙される。
【００３７】
なお、第１の実施形態では、回転方式の印刷を実行する場合の画像の回転量を１８０度としたが、この回転量は他のレイアウト機能により決めてられてもよい。また、本実施形態においては、入力画像は画像が０度の向きで送られてくることとしているが、例えば印刷命令をＭＦＰ１００に送信するホストコンピュータから、０度の向きで画像が送られてこない場合もある。この場合、ＭＦＰ１００のＣＰＵ１１１は、図１０のＳ４１６において、用紙に合わせて画像の回転角度を決める処理を行ってもよい。したがって、この場合、画像の回転角度は、０度や１８０度だけでなく、他の角度であってもよい。
【００３８】
第１の実施形態では、図２（ａ）と図２（ｂ）に示したように、用紙を図の上方向に搬送しながら印刷を行う構成例を挙げている。このような構成の場合、用紙の表面から印刷が行われるが、用紙を横方向に搬送しながら印刷を行う構成のＭＦＰ１００の場合は、用紙の裏面から印刷が行われる。したがって、第１の実施形態で説明した１ジョブ目の片面と両面の印刷設定と、現在の印刷ジョブの片面と両面の印刷設定から回転方式と両面パス方式をどのように実行すればよいかの判断は、ＭＦＰの構成によって異なる。例えば、用紙を横方向に搬送しながら印刷を行う構成のＭＦＰの場合は、ＣＰＵ１１１は、図１０のＳ４０９からＳ４１５までにおいて、横方向に搬送される用紙に応じた印刷出力が得られるように印刷制御を実行する。
【００３９】
また、ＭＦＰによっては、例えばコピープリント処理とＰＤＬプリント処理で印刷出力画像の向きを変える構成の場合がある。この場合のＭＦＰのＣＰＵ１１１は、図１０のＳ４０９からＳ４１５までにおいて、印刷ジョブの種別によって画像の向きが異なる場合を考慮した印刷出力が得られるように印刷制御を実行する。
また、第１の実施形態では、プレパンチ用紙を対象とした例を挙げたが、用紙はそれに限らず、表面と裏面で柄が左右逆であるようなプレプリント用紙であってもよい。この場合、ＣＰＵ１１１は、図１０のＳ４０２において、表面と裏面で柄が左右逆であるプレプリント用紙であると判断した場合にＳ４０３の処理に進むことになる。
【００４０】
その他にも、第１の実施形態では、給紙部２０１に、パンチ穴が左側になる向きでプレパンチ用紙をセットし、印刷出力物の左側にパンチ穴がくる前提で説明を行ったが、パンチ穴の位置はそれぞれ左側に限定されない。例えば、パンチ穴が右側になる向きで給紙部２０１にプレパンチ用紙がセットされ、パンチ穴が印刷出力物の右側にくる構成であってもよい。この場合、ＣＰＵ１１１は、図１０のＳ４０９からＳ４１５までにおいて、パンチ穴が右側にセットされたプレパンチ用紙に対して印刷出力を行うように印刷制御を実行する。また、ＭＦＰ１００は、例えば、操作部１５０から給紙部２０１に対してパンチ穴が左右のどちら側になるようにセットしたかという情報を設定できる構成であってもよい。この場合、ＣＰＵ１１１は、図１０のＳ４０９からＳ４１５までにおいて、その設定情報に基づいた印刷出力を行うように印刷制御を実行する。
【００４１】
＜第２の実施形態＞
以下、第２の実施形態のＭＦＰ１００について説明する。第２の実施形態は、例えば複数ページの本文のページの印刷が行われるような場合に、例えば挿入紙のページに対する印刷がなされる場合の例である。第２の実施形態のＭＦＰ１００の構成は前述の図１、図２（ａ）、図２（ｂ）、図９（ａ）、図９（ｂ）と同様であるため、それらの説明は省略する。第２の実施形態でも、図１、図２（ａ）、図２（ｂ）、図９（ａ）、図９（ｂ）を参照しながら説明を行う。
ここで、一般に、挿入紙に印刷するページ数より本文として印刷するページ数の方が多いと考えられる。このため、よりページ数が多い本文を印刷する場合には通常方式又は回転方式を用いて最速で出力することで、両面パス方式のみを実行する場合と比べて処理時間を短縮可能になると考えられる。
また、挿入紙のページに対しては、必要に応じて両面パス方式と回転方式と切り替えて用いることで、処理時間はかかるが挿入紙の印刷画像の天を本文の印刷画像の天に揃えるようにすることができる。前述の通り、挿入紙のページの枚数は本文より少ないと考えられるため、挿入紙のページに対して両面パス方式を実行しても、パフォーマンスの低下は少ないと考えられる。一方、両面パス方式では、片面印刷か両面印刷のどちらかに対して両面パスを経由するため、両面パスを経由した方の処理は常に遅くなるという問題がある。また、本文について両面パス方式を実行する片面印刷と両面印刷の設定の場合は、ほとんどのページでパフォーマンスが低下するようになると考えられる。
そこで、第２の実施形態は、片面印刷と両面印刷が１ジョブの中で混在する場合において、本文ページと挿入紙ページとで回転方式と両面パス方式を適宜切り替えて用いることにより、印刷出力物の天地の向きを揃えつつ、印刷時間の短縮を可能としている。
【００４２】
図１２は、第２の実施形態のＭＦＰ１００がプリント処理を実行する際のＣＰＵ１１１による印刷制御処理の流れを示すフローチャートである。なお、図１２中のステップＳ６０１〜Ｓ６１７は、それぞれＳ６０１〜Ｓ６１７と略記する。図１２のフローチャートの処理は、ＲＯＭ１１３又はＨＤＤ１１４等に格納されている本実施形態に係るプログラムがＲＡＭ１１２にロードされて、ＣＰＵ１１１により実行される処理である。
【００４３】
ＣＰＵ１１１は、ユーザによる操作部１５０を介したプリント指示の信号、或いは、ネットワークＩ／Ｆ１１５を介して接続されたホストコンピュータからプリント指示の信号を受け取ると、Ｓ６０１として、プリント処理の実行命令を行う。プリント処理の実行命令は、デバイスＩ／Ｆ１１６を介してプリンタ１４０に送られる。Ｓ６０１の後、ＣＰＵ１１１は、処理をＳ６０２〜Ｓ６１７のループ処理に進める。Ｓ６０２〜Ｓ６１７までのループ処理は、印刷するべき各ページに対して１ページずつ行われる処理である。
【００４４】
Ｓ６０２〜Ｓ６１７のループ処理に進むと、ＣＰＵ１１１は、先ずＳ６０３において、プリントに使用する用紙がプレパンチ用紙であるかどうかを判断する。このＳ６０４では、ＣＰＵ１１１は、前述の図１０のＳ４０２と同様に、給紙部２０１の給紙段にセットされている用紙の種別により、プリントに使用する用紙がプレパンチ用紙であるかどうか判断する。ＣＰＵ１１１は、Ｓ６０３においてプレパンチ用紙であると判断した場合にはＳ６０４に処理を進め、プレパンチ用紙以外であると判断した場合にはＳ６１５に処理を進める。
【００４５】
Ｓ６０４に進むと、ＣＰＵ１１１は、印刷設定に含まれているページ情報からこのページが挿入紙のページであるかどうかを判断する。ＣＰＵ１１１は、Ｓ６０４において、挿入紙であると判断した場合にはＳ６０５に処理を進め、一方、本文のページであると判断した場合にはＳ６０６に処理を進める。
Ｓ６０５に進むと、ＣＰＵ１１１は、このときのジョブによる挿入紙ページの印刷設定が片面ジョブであるか、両面ジョブであるかを判断する。ＣＰＵ１１１は、Ｓ６０５において、片面ジョブであると判断した場合にはＳ６０７に処理を進め、両面ジョブであると判断した場合にはＳ６０８に処理を進める。
【００４６】
Ｓ６０７に進むと、ＣＰＵ１１１は、この挿入紙ページの印刷設定が片面印刷を行う片面出力の設定であるか、両面印刷を行う両面出力の設定であるかを判断する。なお、挿入紙ページを両面出力する設定とは、挿入紙の両面にプリントする場合と裏面のみにプリントする印刷設定がなされている場合のことである。ＣＰＵ１１１は、Ｓ６０７において、片面出力の設定であると判断した場合にはＳ６０９に処理を進め、両面出力の設定であると判断した場合にはＳ６１０に処理を進める。
Ｓ６０９に進むと、ＣＰＵ１１１は、前述した回転方式及び両面パス方式の両方を実行しない通常方式により印刷出力するための印刷設定を行った後、Ｓ６１６に処理を進める。
Ｓ６１０では、ＣＰＵ１１１は、回転方式は実行せず、両面パスを１回多く経由するような両面パス方式を実行して印刷出力するための印刷設定を行った後、Ｓ６１６に処理を進める。
【００４７】
Ｓ６０８に進むと、ＣＰＵ１１１は、この挿入紙ページの印刷設定が片面出力の設定であるか、両面出力の設定であるかを判断する。ＣＰＵ１１１は、Ｓ６０８において、片面出力の設定であると判断した場合にはＳ６１１へ処理を進め、両面出力の設定であると判断した場合にはＳ６１２に処理を進める。
Ｓ６１１では、ＣＰＵ１１１は、回転方式及び両面パス方式の両方を実行して印刷出力するための印刷設定を行った後、Ｓ６１６に処理を進める。
Ｓ６１２では、ＣＰＵ１１１は、回転方式を実行し、両面パス方式を実行しないで印刷出力するための印刷設定を行った後、Ｓ６１６に処理を進める。
【００４８】
Ｓ６０６に進んだ場合、ＣＰＵ１１１は、このときのジョブによる本文ページの印刷設定が片面ジョブであるか、両面ジョブであるかを判断する。ＣＰＵ１１１は、Ｓ６０６において、片面ジョブであると判断した場合にはＳ６１３へ処理を進め、両面ジョブであると判断した場合にはＳ６１４に処理を進める。
Ｓ６１３では、ＣＰＵ１１１は、回転方式及び両面パス方式の両方を実行しない通常方式により印刷出力するための印刷設定を行った後、Ｓ６１６に処理を進める。
Ｓ６１４では、ＣＰＵ１１１は、回転方式を実行し、両面パス方式を実行しないで印刷出力するための印刷設定を行った後、Ｓ６１６に処理を進める。
【００４９】
Ｓ６１５に進んだ場合、ＣＰＵ１１１は、回転方式及び両面パス方式の両方を実行しない通常方式により印刷出力するための印刷設定を行った後、Ｓ６１６に処理を進める。
Ｓ６１６に進むと、ＣＰＵ１１１は、Ｓ６０９からＳ６１５の何れか設定された印刷設定に基づいて、プレパンチ用紙の搬送及び印刷画像の作成を実行し、プリンタ１４０にプレパンチ用紙への印刷を実行させる。
その後、ＣＰＵ１１１は、Ｓ６１７に進むと、次に印刷出力するべきページが未だ残っている場合は、Ｓ６０１に処理を戻し、全てのページを出力した場合は、図１２の印刷制御処理を終了する。
【００５０】
図１３は、図１２のフローチャートにより印刷制御がなされて第２の実施形態のＭＦＰ１００により印刷が行われたことで得られる印刷出力物をまとめた表である。
本文ページが片面印刷の場合、ＭＦＰ１００は、図１２のＳ６１３のように、本文ページでは回転方式と両面パス方式の何れも実行せず、通常方式による印刷を実行する。このため、排紙トレイ２０５には、図１３において「本文」、「片面：通常出力」で示される印刷出力物７０１が排紙される。
本文ページが片面印刷で挿入紙のページも片面印刷の場合、ＭＦＰ１００は、図１２のＳ６０９のように、挿入紙ページでは回転方式と両面パス方式の何れも実行せず、通常方式による印刷を実行する。このため、排紙トレイ２０５には、図１３において「挿入紙」、「片面：通常出力」で示される印刷出力物７０３が排紙されることになる。
本文ページが片面印刷で挿入紙のページが両面印刷の場合、ＭＦＰ１００は、図１２のＳ６１０のように、回転方式を実行せず、両面パス方式による印刷を実行する。このため、排紙トレイ２０５には、図１３において「挿入紙」、「両面：両面パス」で示される印刷出力物７０４が排紙されることになる。
このように、本文ページが片面印刷の場合、ＭＦＰ１００は、挿入紙ページでは片面印刷、両面印刷の何れの場合も回転方式を実行しないため、全ての印刷出力物は印刷画像の天がＭＦＰ１００の奥側を向いた状態で排紙トレイ２０５に排紙される。
【００５１】
一方、本文ページが両面印刷の場合、ＭＦＰ１００は、図１２のＳ６１４のように、回転方式による印刷を実行して、両面パス方式は実行しない。このため、排紙トレイ２０５には、図１３において「本文」、「両面：１８０度回転」で示される印刷出力物７０２が排紙される。
本文ページが両面印刷で挿入紙ページが片面印刷の場合、ＭＦＰ１００は、図１２のＳ６１１のように、回転方式と両面パス方式の両方の印刷を実行する。このため、排紙トレイ２０５には、図１３において「挿入紙」、「片面：１８０度回転＋両面パス」で示される印刷出力物７０５が排紙される。
本文ページが両面印刷で挿入紙ページも両面印刷の場合、ＭＦＰ１００は、図１２のＳ６１２のように、回転方式の印刷を実行し、両面パス方式は実行しない。このため、排紙トレイ２０５には、図１３において「挿入紙」、「両面：１８０度回転」で示される印刷出力物７０６が排紙される。
このように、本文ページが両面印刷の場合、ＭＦＰ１００は、挿入紙では全ての印刷ジョブで回転方式を実行することにより、全ての印刷出力物は印刷画像の天がＭＦＰ１００の手前側を向いた状態で排紙トレイ２０５に排紙される。
【００５２】
第２の実施形態の場合、本文ページが片面出力と両面出力の何れの場合でも、本文ページは通常方式、又は回転方式で印刷出力されるため最速で印刷出力物を得ることができる。また、第２の実施形態の場合、挿入紙ページの印刷設定が、本文ページの印刷設定と同じならば、回転方式で印刷出力がなされるため、最速で印刷出力物を得ることができる。また、第２の実施形態の場合、挿入紙ページの印刷設定が、本文ページの印刷設定とは異なるならば、必要に応じて両面パス方式と回転方式が切り替えられて印刷がなされる。このため、パフォーマンスはある程度低下するが、一般に本文ページ数に比べてページ数が少ない挿入紙ページの印刷出力の際には、パフォーマンスの低下の影響はジョブ全体としては小さく抑えることができる。
【００５３】
なお、第２の実施形態では、回転方式の印刷を実行する場合の画像の回転量を１８０度としたが、この回転量は他のレイアウト機能により決めてられてもよい。また、本実施形態においては、入力画像は画像が０度の向きで送られてくることとしているが、例えば印刷命令をＭＦＰ１００に送信するホストコンピュータから、０度の向きで画像が送られてこない場合もある。この場合、ＭＦＰ１００のＣＰＵ１１１は、図１２のＳ６１６において、用紙に合わせて画像の回転角度を決める処理を行ってもよい。したがって、この場合、画像の回転角度は、０度や１８０度だけでなく、他の角度であってもよい。
【００５４】
第２の実施形態では図２（ａ）、図２（ｂ）に示したように用紙を図の上方向に搬送しながら印刷を行う構成例を挙げている。このような構成の場合、用紙の表面から印刷が行われるが、用紙を横方向に搬送しながら印刷を行う構成の第２の実施形態のＭＦＰ１００の場合は、用紙の裏面から印刷が行われる。したがって、第２の実施形態で説明した本文ページの片面と両面の印刷設定と、挿入紙パージの片面と両面の印刷設定から回転方式と両面パス方式をどのように実行すればよいかの判断は、ＭＦＰの構成によって異なる。例えば、用紙を横方向に搬送しながら印刷を行う構成の第２の実施形態のＭＦＰの場合は、ＣＰＵ１１１は、図１２のＳ６０９からＳ６１５までにおいて、横方向に搬送される用紙に応じた印刷出力が得られるように印刷制御を実行する。
【００５５】
また、第２の実施形態では、プレパンチ用紙を対象とした例を挙げたが、用紙はそれに限らず、表面と裏面で柄が左右逆であるようなプレプリント用紙であってもよい。この場合、ＣＰＵ１１１は、図１２のＳ６０３において、表面と裏面で柄が左右逆であるプレプリント用紙であると判断した場合にＳ６０４の処理に進むことになる。
その他にも、第２の実施形態では、給紙部２０１に、パンチ穴が左側になる向きでプレパンチ用紙をセットし、印刷出力物の左側にパンチ穴がくる前提で説明を行ったが、パンチ穴の位置はそれぞれ左側に限定されない。例えば、パンチ穴が右側になる向きで給紙部２０１にプレパンチ用紙がセットされ、パンチ穴が印刷出力物の右側にくる構成であってもよい。この場合、ＣＰＵ１１１は、図１２のＳ６０９からＳ６１５までにおいて、パンチ穴が右側にセットされたプレパンチ用紙に対して印刷出力を行うように印刷制御を実行する。また、ＭＦＰ１００は、例えば、操作部１５０から給紙部２０１に対してパンチ穴が左右のどちら側になるようにセットしたかという情報を設定できる構成であってもよい。この場合、ＣＰＵ１１１は、図１２のＳ６０９からＳ６１５までにおいて、その設定情報に基づいた印刷出力を行うように印刷制御を実行する。
【００５６】
＜第３の実施形態＞
以下、第３の実施形態のＭＦＰ１００について説明する。第３の実施形態のＭＦＰ１００の構成は前述の図１、図２（ａ）、図２（ｂ）、図９（ａ）、図９（ｂ）と同様であるため、それらの説明は省略する。第３の実施形態でも、図１、図２（ａ）、図２（ｂ）、図９（ａ）、図９（ｂ）を参照しながら説明を行う。
ここで、第３の実施形態のＭＦＰ１００は、回転方式と両面パス方式を組み合わせることにより、印刷出力物の左側にパンチ穴がくるようにしつつ、ユーザが指定した個所に対するステイプル処理を実行可能としている。両面パス方式の印刷を実行する場合にはパフォーマンスが低下するが、本実施形態では新たな機能の組み合わせを実現するため、パフォーマンスの低下については問題にしないこととする。
【００５７】
図１４は、第３の実施形態のＭＦＰ１００がプリント処理とステイプル設定を行う際のＣＰＵ１１１による印刷制御処理の流れを示すフローチャートである。なお、図１４中のステップＳ８０１〜Ｓ８１５は、それぞれＳ８０１〜Ｓ８１５と略記する。図１４のフローチャートの処理は、ＲＯＭ１１３又はＨＤＤ１１４等に格納されている本実施形態に係るプログラムがＲＡＭ１１２にロードされて、ＣＰＵ１１１により実行される処理である。
【００５８】
ＣＰＵ１１１は、ユーザによる操作部１５０を介したプリント指示の信号、或いは、ネットワークＩ／Ｆ１１５を介して接続されたホストコンピュータからプリント指示の信号を受け取ると、Ｓ８０１として、プリント処理の実行命令を行う。プリント処理の実行命令は、デバイスＩ／Ｆ１１６を介してプリンタ１４０に送られる。Ｓ８０１の後、ＣＰＵ１１１は、Ｓ８０２へ処理を進める。
【００５９】
Ｓ８０２では、ＣＰＵ１１１は、プリントに使用する用紙がプレパンチ用紙であるかどうかを判断する。このＳ８０２では、ＣＰＵ１１１は、前述の図１０のＳ４０２と同様に、給紙部２０１の給紙段にセットされている用紙の種別により、プリントに使用する用紙がプレパンチ用紙であるかどうか判断する。ＣＰＵ１１１は、Ｓ８０２においてプレパンチ用紙であると判断した場合にはＳ８０３に処理を進め、プレパンチ用紙以外であると判断した場合にはＳ８１４へ処理を進める。
【００６０】
Ｓ８０３に進んだ場合、ＣＰＵ１１１は、これから実行するジョブにステイプル設定がなされているかどうかを判断する。ＣＰＵ１１１は、Ｓ８０３において、ステイプル設定がなされていると判断した場合にはＳ８０４に処理を進め、ステイプル設定がなされていないと判断した場合にはＳ８０５に処理を進める。
Ｓ８０４に進むと、ＣＰＵ１１１は、これから実行するジョブが片面ジョブであるか、両面ジョブであるかを判断する。ＣＰＵ１１１は、Ｓ８０４において、片面ジョブであると判断した場合にはＳ８０６に処理を進め、両面ジョブであると判断した場合にはＳ８０７に処理を進める。
【００６１】
Ｓ８０６では、ＣＰＵ１１１は、ステイプル設定によるステイプル位置が用紙の左上又は左下であるかを判断する。ＣＰＵ１１１は、Ｓ８０６において、ステイプル位置が用紙の左下又は左上であると判断した場合にはＳ８０８に処理を進め、一方、ステイプル位置が用紙の右下又は右上であると判断した場合にはＳ８０９に処理を進める。
Ｓ８０８に進んだ場合、ＣＰＵ１１１は、回転方式及び両面パス方式の両方を実行しない通常方式により印刷出力するための印刷設定を行った後、Ｓ８１５に処理を進める。
Ｓ８０９では、ＣＰＵ１１１は、回転方式及び両面パス方式の両方を実行して印刷出力するための印刷設定を行った後、Ｓ８１５に処理を進める。
【００６２】
Ｓ８０７に進んだ場合、ＣＰＵ１１１は、ステイプル設定のステイプル位置が用紙の左上又は左下であるかを判断する。ＣＰＵ１１１は、Ｓ８０７において、ステイプル位置が用紙の左下又は左上であると判断した場合にはＳ８１０に処理を進め、一方、ステイプル位置が用紙の右下又は右上であると判断した場合にはＳ８１１に処理を進める。
Ｓ８１０に進むと、ＣＰＵ１１１は、両面パスを１回多く経由するような両面パス方式を実行して出力するための印刷設定を行った後、Ｓ８１５に処理を進める。
Ｓ８１１に進むと、ＣＰＵ１１１は、回転方式を実行し、両面パス方式を実行しないで印刷出力するための印刷設定を行った後、Ｓ８１５に処理を進める。
【００６３】
Ｓ８０５に進んだ場合、ＣＰＵ１１１は、これから実行するジョブが片面ジョブであるか、両面ジョブであるかを判断する。ＣＰＵ１１１は、Ｓ８０５において、片面ジョブであると判断した場合にはＳ８１２に処理を進め、両面ジョブであると判断した場合にはＳ８１３に処理を進める。
Ｓ８１２に進むと、ＣＰＵ１１１は、回転方式及び両面パス方式の両方を実行しない通常方式により印刷出力するための印刷設定を行った後、Ｓ８１５に処理を進める。
Ｓ８１３に進むと、ＣＰＵ１１１は、回転方式を実行し、両面パス方式を実行しないで印刷出力するための印刷設定を行った後、Ｓ８１５に処理を進める。
【００６４】
Ｓ８１４に進んだ場合には、ＣＰＵ１１１は、回転方式及び両面パス方式の両方を実行しない通常方式により印刷出力するための印刷設定を行った後、Ｓ８１５に処理を進める。
Ｓ８１５では、ＣＰＵ１１１は、Ｓ８０８からＳ８１４のいずれかで設定された設定に基づいて、プレパンチ用紙の搬送及び印刷画像の作成を実行し、プリンタ１４０にプレパンチ用紙への印刷を実行させる。そして、ＣＰＵ１１１は、Ｓ８１４の処理が行われていない場合には、ステイプル装置２１２に対し、ステイプル設定に基づくステイプル処理を実行させる。
【００６５】
図１５は、図１４のフローチャートにより印刷制御とステイプル制御がなされて第３の実施形態のＭＦＰ１００により印刷処理とステイプル処理が行われたことで得られる印刷出力物をまとめた表である。
印刷設定が片面印刷でステイプル位置の設定が左上又は左下である場合、ＭＦＰ１００は、図１４のＳ８０８のように、回転方式と両面パス方式の何れも実行せずに通常方式による印刷を実行する。また、ＭＦＰ１００は、ステイプル位置を用紙の左下又は左上にしてステイプル処理を実行する。このため、排紙トレイ２０５には、図１５において「片面」、「左下、左上」「通常出力」で示される印刷出力物９０１が排紙される。
印刷設定が片面印刷でステイプル位置の設定が右上又は右下の設定である場合、ＭＦＰ１００は、図１４の８０９のように、回転方式と両面パス方式の両方を実行する。また、ＭＦＰ１００は、ステイプル位置を用紙の右下又は右上にしてステイプル処理を行う。このため、排紙トレイ２０５には、図１５において「片面」、「左下、左上」「１８０度回転＋両面パス」で示される印刷出力物９０２が排紙される。
【００６６】
印刷設定が両面印刷でステイプル位置の設定が左上又は左下である場合、ＭＦＰ１００は、図１４のＳ８１０のように、回転方式を実行せず、両面パス方式を実行する。また、ＭＦＰ１００は、ステイプル位置を用紙の左下又は左上にしてステイプル処理を行う。このため、排紙トレイ２０５には、図１５において「両面」、「左下、左上」「両面パス」で示される印刷出力物９０３が排紙される。
印刷設定が両面印刷でステイプル位置の設定が右上又は右下である場合、ＭＦＰ１００は、図１４のＳ８１１のように、回転方式を実行し、両面パス方式は実行しない。また、ＭＦＰ１００は、ステイプル位置を用紙の右下又は右上にしてステイプル処理を行う。このため、排紙トレイ２０５には、図１５において「両面」、「右下、右上」「１８０度回転」で示される印刷出力物９０４が排紙される。
【００６７】
図１５に示したように、第３の実施形態では、印刷出力物の印刷画像の天に対して左側にパンチ穴がくるようにしつつ、排紙トレイ２０５の上ではステイプル位置が例えば用紙の左側に揃った状態で排紙される。
なお、第３の実施形態では、回転方式を実行する場合の画像の回転量を１８０度としたが、この回転量は他のレイアウト機能により決めてられてもよい。また、本実施形態においては、入力画像は画像が０度の向きで送られてくることとしているが、例えば印刷命令をＭＦＰ１００に送信するホストコンピュータから、０度の向きで画像が送られてこない場合もある。この場合、ＭＦＰ１００のＣＰＵ１１１は、図１４のＳ８１５において、用紙に合わせて画像の回転角度を決める処理を行ってもよい。したがって、この場合、画像の回転角度は、０度や１８０度だけでなく、他の角度であってもよい。
【００６８】
第３の実施形態では図２に示した用紙を図の上方向に搬送しながら印刷を行う構成例を挙げている。このような構成の場合、用紙の表面から印刷が行われるが、用紙を横方向に搬送しながら印刷を行う構成のＭＦＰ１００の場合は、用紙の裏面から印刷が行われる。したがって、第３の実施形態で説明したジョブの片面と両面の印刷設定と、ステイプル設定のステイプル位置指定から回転方式と両面パス方式をどのように実行すればよいかの判断は、ＭＦＰの構成によって異なる。例えば、用紙を横方向に搬送しながら印刷を行う構成のＭＦＰの場合は、ＣＰＵ１１１は、図１４のＳ８０８からＳ８１５までにおいて、横方向に搬送される用紙に応じた印刷出力が得られるように印刷制御を実行する。
【００６９】
また、ＭＦＰによっては、例えばコピープリント処理とＰＤＬプリント処理で印刷出力画像の向きを変える構成の場合がある。この場合のＭＦＰのＣＰＵ１１１は、図１４のＳ８０８からＳ８１４までにおいて、ジョブの種別によって画像の向きが異なる場合を考慮した印刷出力とステイプル処理が行われるような制御を実行する。
また、第３の実施形態では、プレパンチ用紙を対象とした例を挙げたが、用紙はそれに限らず、表面と裏面で柄が左右逆であるようなプレプリント用紙であってもよい。この場合、ＣＰＵ１１１は、図１４のＳ８０２において、表面と裏面で柄が左右逆であるプレプリント用紙であると判断した場合にＳ８０３の処理に進むことになる。
【００７０】
その他にも、第３の実施形態では、給紙部２０１に、パンチ穴が左側になる向きでプレパンチ用紙をセットし、印刷出力物の左側にパンチ穴がくる前提で説明を行ったが、パンチ穴の位置はそれぞれ左側に限定されない。例えば、パンチ穴が右側になる向きで給紙部２０１にプレパンチ用紙がセットされ、パンチ穴が印刷出力物の右側にくる構成であってもよい。この場合、ＣＰＵ１１１は、図８のＳ８０８からＳ８１４までにおいて、パンチ穴が右側にセットされたプレパンチ用紙に対して印刷出力とステイプル処理を行うように制御を実行する。また、ＭＦＰ１００は、例えば、操作部１５０から給紙部２０１に対してパンチ穴が左右のどちら側になるようにセットしたかという情報を設定できる構成であってもよい。この場合、ＣＰＵ１１１は、図８のＳ８０８からＳ８１４までにおいて、その設定情報に基づいた印刷出力とステイプル処理を行うように制御を実行する。
【００７１】
＜その他の実施形態＞
前述の実施形態では、印刷画像に方向性がある特殊紙の一例として、プレパンチ用紙を挙げているが、例えば左右非対称なプレプリント用紙であってもよい。
本発明は、上述の実施形態の１以上の機能を実現するプログラムを、ネットワーク又は記憶媒体を介してシステム又は装置に供給し、そのシステム又は装置のコンピュータにおける一つ以上のプロセッサがプログラムを読出し実行する処理でも実現可能である。また、１以上の機能を実現する回路（例えば、ＡＳＩＣ）によっても実現可能である。
以上、本発明の好ましい実施形態について詳述したが、本実施形態は係る特定の実施形態に限定されるものではなく、特許請求の範囲に記載された本発明の要旨の範囲内において、種々の変形・変更が可能である。
【符号の説明】
【００７２】
１０１  ＭＦＰ、１１１  ＣＰＵ、１１８  画像処理部、１４０  プリンタ、２０５  排紙トレイ、２１２  ステイプル装置
【図１】
2017074689.tif 000003
【図２】
2017074689.tif 000004
【図３】
2017074689.tif 000005
【図４】
2017074689.tif 000006
【図５】
2017074689.tif 000007
【図６】
2017074689.tif 000008
【図７】
2017074689.tif 000009
【図８】
2017074689.tif 000010
【図９】
2017074689.tif 000011
【図１０】
2017074689.tif 000012
【図１１】
2017074689.tif 000013
【図１２】
2017074689.tif 000014
【図１３】
2017074689.tif 000015
【図１４】
2017074689.tif 000016
【図１５】
2017074689.tif 000017